(57)【要約】      （修正有）【課題】横たわった姿勢でユーザがタッチディスプレイを備える携帯端末を快適に操作することを可能にする。【解決手段】タッチディスプレイを備えた携帯端末において、携帯端末の傾きを検知するステップ６０２と、検知される傾きが所定の条件を満たす場合に、タッチディスプレイに表示されたアイコンに対してタッチディスプレイから離れることなく所定の接触操作が行われることに応答して、アイコンに関連付けられるアプリケーションを起動するための所定の動作を実行するステップ６１２とを含む。【選択図】図６
2016207057.tif 000002
【特許請求の範囲】
【請求項１】
タッチディスプレイを備える携帯端末に、
前記携帯端末の傾きを検知するステップと、
検知される傾きが所定の条件を満たす場合に、前記タッチディスプレイに表示されたアイコンに対して前記タッチディスプレイから離れることなく所定の接触操作が行われることに応答して、前記アイコンに関連付けられるアプリケーションを起動するための所定の動作を実行するステップと
を含む方法を実行させるプログラム。
【請求項２】
前記所定の条件は、前記タッチディスプレイの表面と水平面とがなす角度が９０度以下であることを含む請求項１に記載のプログラム。
【請求項３】
前記所定の接触操作は、
前記アイコンに物体を接触させたまま、前記携帯端末を振ること、
前記アイコンに物体を接触させたまま、前記アイコンを該物体でこすること、
前記タッチディスプレイに物体を接触させたまま、前記アイコンを囲うように該物体を移動させること、又は
所定の時間期間の間、前記アイコンに物体を接触させたままにすること
のうちの少なくとも１つを含む請求項１又は２に記載のプログラム。
【請求項４】
前記方法は、
前記検知される傾きが前記所定の条件を満たす場合に、前記物体が前記タッチディスプレイに接触し続けても、前記アイコンを整理するための動作を実行しないステップ
をさらに含む請求項３に記載のプログラム。
【請求項５】
前記物体はユーザの指である請求項３又は４に記載のプログラム。
【請求項６】
前記所定の動作は、
前記アプリケーションを起動すること、又は
前記アプリケーションを起動するために選択される領域を前記タッチディスプレイに表示することであって、物体が前記アイコンから前記領域まで前記タッチディスプレイに接触したまま移動することに応答して、前記携帯端末が前記アプリケーションを起動する、表示すること
のうちの少なくとも１つを含む請求項１乃至５のいずれか１項に記載のプログラム。
【請求項７】
前記方法は、
前記検知される傾きが前記所定の条件を満たす場合に、前記タッチディスプレイに表示された前記アイコンに対してタップ操作が行われることに応答して、前記アイコンに関連付けられる前記アプリケーションを起動するための前記所定の動作を実行するステップ
をさらに含む請求項１乃至６のいずれか１項に記載のプログラム。
【請求項８】
タッチディスプレイを備える携帯端末により実施される方法であって、
前記携帯端末の傾きを検知するステップと、
検知される傾きが所定の条件を満たす場合に、前記タッチディスプレイに表示されたアイコンに対して前記タッチディスプレイから離れることなく所定の接触操作が行われることに応答して、前記アイコンに関連付けられるアプリケーションを起動するための所定の動作を実行するステップと
を含む方法。
【請求項９】
前記所定の条件は、前記タッチディスプレイの表面と水平面とがなす角度が９０度以下であることを含む請求項８に記載の方法。
【請求項１０】
前記所定の接触操作は、
前記アイコンに物体を接触させたまま、前記携帯端末を振ること、
前記アイコンに物体を接触させたまま、前記アイコンを該物体でこすること、
前記タッチディスプレイに物体を接触させたまま、前記アイコンを囲うように該物体を移動させること、又は
所定の時間期間の間、前記アイコンに物体を接触させたままにすること
のうちの少なくとも１つを含む請求項８又は９に記載の方法。
【請求項１１】
前記検知される傾きが前記所定の条件を満たす場合に、前記物体が前記タッチディスプレイに接触し続けても、前記アイコンを整理するための動作を実行しないステップ
をさらに含む請求項１０に記載の方法。
【請求項１２】
前記物体はユーザの指である請求項１０又は１１に記載の方法。
【請求項１３】
前記所定の動作は、
前記アプリケーションを起動すること、又は
前記アプリケーションを起動するために選択される領域を前記タッチディスプレイに表示することであって、物体が前記アイコンから前記領域まで前記タッチディスプレイに接触したまま移動することに応答して、前記携帯端末が前記アプリケーションを起動する、表示すること
のうちの少なくとも１つを含む請求項８乃至１２のいずれか１項に記載の方法。
【請求項１４】
前記検知される傾きが前記所定の条件を満たす場合に、前記タッチディスプレイに表示された前記アイコンに対してタップ操作が行われることに応答して、前記アイコンに関連付けられる前記アプリケーションを起動するための前記所定の動作を実行するステップ
をさらに含む請求項８乃至１３のいずれか１項に記載の方法。
【発明の詳細な説明】
【技術分野】
【０００１】
本発明は、タッチディスプレイを備える携帯端末のためのプログラム及び方法に関し、より詳細には、タッチディスプレイを備える携帯端末を、ユーザが横たわった姿勢で快適に操作することを可能にするプログラム及び方法に関する。
【背景技術】
【０００２】
現在、スマートフォンやタブレットコンピュータなどのタッチディスプレイを備えた携帯端末が広く普及している。このような携帯端末のタッチディスプレイには、各アプリケーションに関連付けられたアイコンが表示される。
【０００３】
図１は、従来の携帯端末においてタップ操作によってアプリケーションを起動するための一般的な操作を示す概略図である。携帯端末１００のタッチディスプレイ１０２上に表示されたアイコン１０４をユーザが指１０６でタップすると（図１（ａ））、携帯端末１００は当該タップ操作を検知して、タップされたアイコン１０４に関連付けられるアプリケーションを起動する。その結果、当該アプリケーションの実行画面がタッチディスプレイ１０２に表示される（図１（ｂ））。
【０００４】
しかし、このような従来の操作は、ユーザの姿勢によってはスムーズに行えない場合がある。図２は、ユーザが横たわった姿勢で片手で携帯端末２００を操作する様子を示す概略図である。図２（ａ）において、ユーザ２１０は、仰向けの姿勢で携帯端末２００を片手で保持している。この場合、通常、タッチディスプレイ上での操作に使用する指（例えば、親指）のみが携帯端末２００の表側（タッチディスプレイ側）に接触し、その他の指は携帯端末２００の裏側又は側部に接触する。したがって、携帯端末２００は、操作に使用する指によって下から支えられている。この状態で、ユーザ２１０がアイコンをタップするためにその指を離そうとしても、携帯端末２００がその指の動きについてきてしまうため、ユーザ２１０はタップ操作をうまく行うことができない。ユーザ２１０が無理にタップ操作をしようとすると、携帯端末２００に対する下からの支えがなくなるため、ユーザ２１０は、図２（ｂ）に示すように、携帯端末２００を落としてしまう可能性がある。ユーザ２１０は、操作に使用しない指で携帯端末２００を強く掴みながら操作をすることにより、携帯端末２００の落下を防ぐことができる。しかしながら、このような操作によれば、ユーザ２１０は手に余分な力を加え続ける必要があるため疲れやすく、ユーザの負担が増す。また、操作のために用いる指の可動域が狭くなるので、携帯端末２００をスムーズに操作することが困難になる。
【発明の概要】
【発明が解決しようとする課題】
【０００５】
本発明の目的は、ユーザが、横たわった姿勢で、タッチディスプレイを備える携帯端末を快適に操作することを可能にすることである。
【課題を解決するための手段】
【０００６】
上記課題を解決するための本発明の一態様は、タッチディスプレイを備える携帯端末に、携帯端末の傾きを検知するステップと、検知される傾きが所定の条件を満たす場合に、タッチディスプレイに表示されたアイコンに対してタッチディスプレイから離れることなく所定の接触操作が行われることに応答して、アイコンに関連付けられるアプリケーションを起動するための所定の動作を実行するステップとを含む方法を実行させるプログラムである。
【０００７】
実施例において、所定の条件は、タッチディスプレイの表面と水平面とがなす角度が９０度以下であることを含んでもよい。
実施例において、所定の接触操作は、アイコンに物体を接触させたまま携帯端末を振ること、アイコンに物体を接触させたままアイコンを該物体でこすること、タッチディスプレイに物体を接触させたままアイコンを囲うように該物体を移動させること、又は、所定の時間期間の間、アイコンに物体を接触させたままにすることのうちの少なくとも１つを含んでもよい。
【０００８】
実施例において、上記方法は、検知される傾きが所定の条件を満たす場合に、物体がタッチディスプレイに接触し続けても、アイコンを整理するための動作を実行しないステップをさらに含んでもよい。
【０００９】
実施例において、物体はユーザの指であってもよい。
実施例において、所定の動作は、アプリケーションを起動すること、又はアプリケーションを起動するために選択される領域をタッチディスプレイに表示することであって、物体がアイコンから領域までタッチディスプレイに接触したまま移動することに応答して、携帯端末がアプリケーションを起動する、表示することのうちの少なくとも１つを含んでもよい。
【００１０】
実施例において、上記方法は、検知される傾きが所定の条件を満たす場合に、タッチディスプレイに表示されたアイコンに対してタップ操作が行われることに応答して、アイコンに関連付けられるアプリケーションを起動するための所定の動作を実行するステップをさらに含んでもよい。
【００１１】
本発明の別の態様は、タッチディスプレイを備える携帯端末により実施される方法であって、携帯端末の傾きを検知するステップと、検知される傾きが所定の条件を満たす場合に、タッチディスプレイに表示されたアイコンに対してタッチディスプレイから離れることなく所定の接触操作が行われることに応答して、アイコンに関連付けられるアプリケーションを起動するための所定の動作を実行するステップとを含む。
【００１２】
実施例において、所定の条件は、タッチディスプレイの表面と水平面とがなす角度が９０度以下であることを含んでもよい。
実施例において、所定の接触操作は、アイコンに物体を接触させたまま携帯端末を振ること、アイコンに物体を接触させたままアイコンを該物体でこすること、タッチディスプレイに物体を接触させたままアイコンを囲うように該物体を移動させること、又は、所定の時間期間の間、アイコンに物体を接触させたままにすることのうちの少なくとも１つを含んでもよい。
【００１３】
実施例において、上記方法は、検知される傾きが所定の条件を満たす場合に、物体がタッチディスプレイに接触し続けても、アイコンを整理するための動作を実行しないステップをさらに含んでもよい。
【００１４】
実施例において、物体はユーザの指であってもよい。
実施例において、所定の動作は、アプリケーションを起動すること、又はアプリケーションを起動するために選択される領域をタッチディスプレイに表示することであって、物体がアイコンから領域までタッチディスプレイに接触したまま移動することに応答して、携帯端末がアプリケーションを起動する、表示することのうちの少なくとも１つを含んでもよい。
【００１５】
実施例において、上記方法は、検知される傾きが所定の条件を満たす場合に、タッチディスプレイに表示されたアイコンに対してタップ操作が行われることに応答して、アイコンに関連付けられるアプリケーションを起動するための所定の動作を実行するステップをさらに含んでもよい。
【発明の効果】
【００１６】
本発明によれば、ユーザは、横たわった姿勢で、タッチディスプレイを備える携帯端末を快適に操作することができる。
【図面の簡単な説明】
【００１７】
【図１】従来の携帯端末においてタップ操作によってアプリケーションを起動するための一般的な操作を示す概略図である。
【図２】ユーザが横たわった姿勢で片手で携帯端末を操作する様子を示す概略図である。
【図３】携帯端末の概略的な機能ブロック図である。
【図４】傾き検知部によって経時的に検知される角度情報について説明する図である。
【図５】携帯端末３００が使用される状況に応じて、タッチディスプレイ３０２の表面と水平面３１４とがなす角度が異なることを示す。
【図６】本発明の実施例によるプログラムに従って携帯端末（又は、制御部）が実行する方法のフローチャートである。
【図７】所定の接触操作の例を示す概略図である。
【図８】アプリケーションを起動するための所定の動作の例を示す概略図である。
【図９】本発明の実施例によるプログラムに従って携帯端末（又は、制御部）が実行する方法のフローチャートである。
【発明を実施するための形態】
【００１８】
本発明は、携帯端末の傾きを検知するステップと、検知される傾きが所定の条件を満たす場合に、携帯端末のタッチディスプレイに表示されたアイコンに対してタッチディスプレイから離れることなく所定の接触操作が行われることに応答して、アイコンに関連付けられるアプリケーションを起動するための所定の動作を実行するステップとを含む、携帯端末により実施される方法、及び当該方法を携帯端末に実行させるプログラムにより特徴付けられるものである。
【００１９】
以下、本発明の実施例について、図面を参照して説明する。
図３は、携帯端末３００の概略的な機能ブロック図である。図示のように、携帯端末３００は、基本構成として、表示部／ディスプレイ３０４及び接触検知部／タッチパネル３０６を含むタッチディスプレイ３０２、傾き検知部（ジャイロセンサ）３０８、制御部３１０、並びに記憶部３１２を備える。
【００２０】
タッチディスプレイ３０２は、記憶部３１２に格納された各種データを表示するための表示部３０４、並びに、人の指やスタイラスなどの物体による接触操作（主に、タッチ操作、スワイプ（スライド）操作及びタップ操作等の物理的接触操作）を検知する接触検知部３０６を備える。なお、接触検知部３０６は、タッチディスプレイ３０２の構造上、液晶パネル、有機ＥＬ、プラズマディスプレイ等のような表示部３０４の上層に配置される。タッチディスプレイ３０２は、圧力検出方式、抵抗膜方式、静電容量方式、電磁誘導方式等を採用することができる。接触検知部３０６が、指やスタイラス等の物体の接触による入力を受けると、接触位置における押圧、電気抵抗、電気容量、弾性波のエネルギー等の変化量が検知され、表示部３０４上の対応する接触座標が特定される。
【００２１】
携帯端末３００は、傾き検知部（ジャイロセンサ／角速度センサ）３０８を含んでもよい。ここで、図４を参照して、本発明の実施例における、傾き検知部３０８によって経時的に検知される角度情報について説明する。図４に示されるように、携帯端末３００を中心とするＸＹＺ座標系が定義される。当該ＸＹＺ座標は、所定のタイミングを初期状態とした相対座標である。より具体的には、携帯端末３００の表示面に平行な面がＸＹ表面として定義され、垂直方向がＺ軸として定義される。図４では、ユーザが携帯端末３００を縦持ちして操作することを想定して、図示のようにＸ軸及びＹ軸を規定している。横持ちの場合は、Ｘ軸とＹ軸とを逆にするとよい。
【００２２】
傾き検知部３０８は、各軸回りの角度、即ち、Ｘ軸を中心とした回転を示すロール角、Ｙ軸を中心とした回転を示すピッチ角、及びＺ軸を中心とした回転を示すヨー角を回転方向と共に角度情報としてそれぞれ検知し、該検知した角度情報に少なくとも基づく経時的な変化データにより携帯端末３００の傾き情報を決定することができる。
【００２３】
図３に戻り、記憶部３１２は、記憶媒体に対してデータの読み出し／書き込みを行う。記憶部３１２は、表示部３０４に表示するための１つ又は複数のアイコン情報を格納する。なお、複数のアイコン情報は、階層構造を有してもよく、階層毎に分類して格納されてもよい。この場合、表示部３０４は、階層に応じた少なくとも１つのアイコンを表示する。
【００２４】
アイコン情報は、アイコンの「フォルダ」／「ファイル」形式等の種別を示すアイコン種別、表示部３０４上の位置座標情報、及びアイコンが選択される際に実行される、アイコンに関連付けられるアプリケーション・プログラム情報などの各種情報を含んでもよい。フォルダ、ファイル及びアプリケーション・プログラムもまた、記憶部３１２に格納されてもよい。例えば、記憶部３１２は、「フォルダ展開」、「ファイル・オープン」、「プログラム実行」、「表示切り替え」、「候補選択」等の各機能を、アイコンに関連付けて（例えば、アイコン情報の一部として）格納してもよい。なお、記憶部３１２に格納される情報は、常に携帯端末３００内に格納されるのではなく、例えば、通信ネットワーク上のサーバに格納されてもよく、通信ネットワークを通じて携帯端末３００にダウンロードされて一時的に格納されてもよい。
【００２５】
制御部３１０は、本発明の実施例によるプログラムを実行して、携帯端末３００を動作させるように構成される。具体的には、制御部３１０は、物体がタッチディスプレイ３０２に接触することに応答して、接触検知部３０６により検知される表示部３０４上の接触座標を決定する処理、及び、携帯端末３００が傾けられることに応答して、傾き検知部３０８により検知される傾き情報を決定する処理を実行する。制御部３１０はまた、表示部３０４に表示されるアイコンを選択する処理、オブジェクトを形成して表示部３０４に表示する処理、及び当該選択されたアイコンに関連付けられた機能を実行する処理を含む各処理を行ってもよい。
【００２６】
図５は、携帯端末３００が使用される状況に応じて、タッチディスプレイ３０２の表面と水平面３１４とがなす角度が異なることを示す。図５（ａ）及び（ｂ）は、携帯端末３００が縦持ちの状態で使用される場合を示す。ユーザが体を起こした状態（例えば、立っている状態、座っている状態など）で携帯端末３００を操作するとき、図５（ａ）に示されるように、タッチディスプレイ３０２の表面と水平面３１４とがなす角度３１６ａは、通常、９０度よりも大きい。ユーザが片手で携帯端末３００を操作する場合、一般的に、ユーザの人差し指、中指、薬指及び小指が携帯端末３００の裏面又は側面に添えられる。携帯端末３００がこれら４本の指で支えられるので、ユーザは、親指を用いてタッチディスプレイ３０２上での接触操作を自由に行うことができる。例えば、ユーザは、親指でアイコンをタップして、当該アイコンに関連付けられるアプリケーションを起動させることができる。一方、ユーザが横たわった状態（例えば、仰向けの状態）で携帯端末３００を操作する場合、図５（ｂ）に示されるように、角度３１６ｂは、通常、９０度以下である。図５（ｂ）の状態は、例えば、図４に示されるピッチ角が９０度以上である状態に対応する。ユーザが片手で携帯端末３００を操作する場合、ユーザは親指で携帯端末３００の重さを支えなければならない。このため、ユーザが携帯端末３００から指を離す必要がある操作（例えば、タップ操作）を自由に行うことは困難である。ユーザが親指以外の指で携帯端末３００を強く掴むことによって携帯端末３００を支えれば、親指での操作は比較的容易になる。しかし、この場合、ユーザの手にかかる負担が大きく、長時間操作することが困難になる。また、この場合、親指の可動域が狭くなるので、携帯端末３００をスムーズに操作することが困難になる。
【００２７】
図５（ｃ）及び（ｄ）は、携帯端末３００が横持ちの状態で使用される場合を示す。図５（ａ）と同様に、図５（ｃ）では角度３１６ｃが９０度より大きく、ユーザは片手で携帯端末３００を容易に操作することができる。一方、図５（ｂ）と同様に、図５（ｄ）の場合、片手での操作は困難である。図５（ｄ）の状態は、例えば、図４に示されるロール角が９０度以上である状態に対応する。
【００２８】
以下において、本発明の実施例によるプログラム及び方法について説明する。本発明の実施例によれば、図５（ｂ）や図５（ｄ）のような状態であってもユーザが片手で携帯端末３００を快適に操作することが可能となる。
【００２９】
図６は、本発明の実施例によるプログラムに従って携帯端末３００が実行する方法のフローチャートである。当該プログラムは、携帯端末３００の制御部３１０によって実行されてもよく、図６に示す各ステップを制御部３１０に実行させてもよい。
【００３０】
ステップ６０２において、制御部３１０（又は、携帯端末３００。以下同じ。）は、携帯端末３００の傾きを検知する。例えば、制御部３１０は、傾き検知部３０８から傾き情報を得て、当該傾き情報に基づいて、タッチディスプレイの表面と水平面とがなす角度を求めてもよい。換言すれば、ステップ６０２において、本発明の実施例のプログラムは、制御部３１０を、携帯端末３００の傾きを決定する傾き決定部として動作させる。
【００３１】
ステップ６０４において、制御部３１０は、検知された傾きが所定の条件を満たすかどうかを判定する。換言すれば、ステップ６０４において、実施例のプログラムは、制御部３１０を、傾きが所定の条件を満たすかどうかを判定する傾き判定部として動作させる。例えば、制御部３１０は、タッチディスプレイ３０２の表面と水平面とがなす角度（例えば、図５に示す角度３１６ａ乃至３１６ｄ）が９０度以下であるかどうかを判定してもよい。これは所定の条件の１つの例にすぎない。本発明の実施例において、当該所定の条件は、片手での操作が困難となり得る傾きを携帯端末３００が有するという条件であればよい。当業者であれば、適切な条件を上記所定の条件として採用して、本発明を実施することができよう。
【００３２】
検知された傾きが所定の条件を満たさないと判定される場合（ステップ６０４の「いいえ」）、ステップ６０６において、制御部３１０は、携帯端末３００を通常モードで動作させる。換言すれば、ステップ６０６において、実施例のプログラムは、制御部３１０を通常モード実行部として動作させる。例えば、制御部３１０は、ユーザが指やスタイラスなどの物体を用いてタッチディスプレイ３０２上に表示されたアイコンに対してタップ操作を行うことに応答して、当該アイコンに関連付けられたアプリケーションを起動してもよい。制御部３１０はまた、ユーザの指やスタイラスなどの物体がタッチディスプレイ３０２に所定の時間期間接触し続けることに応答して、携帯端末３００を、タッチディスプレイ３０２に表示されたアイコンを配置変更したり削除したりするためのアイコン整理モードに移行させてもよい。
【００３３】
検知された傾きが所定の条件を満たすと判定される場合（ステップ６０４の「はい」）、ステップ６０８において、制御部３１０は、携帯端末３００を、ユーザが横たわった状態（例えば、仰向けの状態）での操作に適したモード（ここでは、「寝ながらモード」と呼ぶ）で動作させる。換言すれば、ステップ６０８において、実施例のプログラムは、制御部３１０を寝ながらモード実行部として動作させる。寝ながらモード中、制御部３１０は、物体がタッチディスプレイ３０２に接触し続けても、携帯端末３００をアイコン整理モードに移行させない。
【００３４】
ステップ６１０において、制御部３１０は、指などの物体がタッチディスプレイから離れることなく、タッチディスプレイに表示されたアイコンに対して当該物体によって所定の接触操作が行われたかどうかを判定する。換言すれば、ステップ６１０において、実施例のプログラムは、制御部３１０を接触操作判定部として動作させる。
【００３５】
図７は、ステップ６１０における上記の所定の接触操作の例を示す概略図である。図７（ａ）に示す例において、ユーザは、物体（例えば、ユーザの親指）３１８をタッチディスプレイ３０２に接触させたまま、物体３１８を所望のアイコンまで移動させる。物体３１８を当該アイコンに接触させたままユーザが携帯端末３００を任意の方向（上下方向、左右方向、斜め方向など）に振ると、制御部３１０は、所定の接触操作が行われたと判定する。例えば、制御部３１０は、接触検知部３０６から得られる情報に基づいて、物体３１８がタッチディスプレイ３０２上を移動した後にあるアイコンに到達したと判定してもよい。さらに、制御部３１０は、加速度計やジャイロセンサなどから得られる情報に基づいて、携帯端末３００が振られたと判定してもよい。
【００３６】
図７（ｂ）に示す例において、ユーザは、物体３１８をタッチディスプレイ３０２に接触させたまま、物体３１８を所望のアイコンまで移動させる。物体３１８を当該アイコンに接触させたままユーザが物体３１８によって当該アイコンを任意の態様（上下方向、左右方向、斜め方向など）でこすると、制御部３１０は、所定の接触操作が行われたと判定する。例えば、制御部３１０は、接触検知部３０６から得られる情報に基づいて、物体３１８がタッチディスプレイ３０２上を移動した後にあるアイコンに到達したと判定してもよい。さらに、制御部３１０は、接触検知部３０６から得られるアイコン上での物体３１８の動きの軌跡の情報に基づいて、アイコンがこすられたかどうかを判定してもよい。例えば、制御部３１０は、得られた軌跡情報を、こする操作を示すものとして記憶部３１２に予め格納されている１つ又は複数の軌跡情報と比較して、得られた軌跡情報が記憶部３１２に格納された軌跡情報のいずれかと一致又は類似する場合に、アイコンがこすられたと判定してもよい。
【００３７】
図７（ｃ）に示す例において、ユーザは、物体３１８をタッチディスプレイ３０２に接触させたまま、物体３１８を所望のアイコンの近くまで移動させる。物体３１８をタッチディスプレイ３０２に接触させたままユーザが当該アイコンを囲うように物体３１８を移動させると、制御部３１０は、所定の接触操作が行われたと判定する。例えば、制御部３１０は、接触検知部３０６から得られる情報に基づいて、物体３１８がタッチディスプレイ３０２上を移動した後にあるアイコンの近くに到達したと判定してもよい。さらに、制御部３１０は、接触検知部３０６から得られるタッチディスプレイ３０２上での物体３１８の動きの軌跡の情報に基づいて、アイコンを囲う動作がなされたかどうかを判定してもよい。例えば、制御部３１０は、得られた軌跡情報を、アイコンを囲う操作を示すものとして記憶部３１２に予め格納されている１つ又は複数の軌跡情報と比較して、得られた軌跡情報が記憶部３１２に格納された軌跡情報のいずれかと一致又は類似する場合に、アイコンを囲う操作が行われたと判定してもよい。
【００３８】
図７（ｄ）に示す例において、ユーザは、物体３１８をタッチディスプレイ３０２に接触させたまま、物体３１８を所望のアイコンまで移動させる。物体３１８を当該アイコンに接触させたまま所定の時間期間以上の間ユーザが物体３１８を動かさずにいると、制御部３１０は、所定の接触操作が行われたと判定する。例えば、制御部３１０は、接触検知部３０６から得られる情報に基づいて、物体３１８がタッチディスプレイ３０２上を移動した後にあるアイコンに到達したと判定してもよい。さらに、制御部３１０は、接触検知部３０６から得られる情報に基づいて、物体３１８が所定の時間期間以上の間アイコン上に留まっていると判定してもよい。
【００３９】
図６に戻り、所定の接触操作が行われなかったと判定される場合（ステップ６１０の「いいえ」）、処理はステップ６０８に戻ってもよい。
所定の接触操作が行われたと判定される場合（ステップ６１０の「はい」）、ステップ６１２において、制御部３１０は、所定の接触操作が行われたアイコンに関連付けられるアプリケーションを起動するための所定の動作を実行する。換言すれば、ステップ６１２において、実施例のプログラムは、制御部３１０をアプリケーション起動動作実行部として動作させる。
【００４０】
図８は、ステップ６１２におけるアプリケーションを起動するための所定の動作の例を示す概略図である。図８（ａ）に示す例において、制御部３１０は、所定の接触操作が行われたアイコンに関連付けられるアプリケーションを起動するかどうかをユーザに選択させるための領域３２０ａ（ここでは、「起動」領域）及び３２０ｂ（ここでは、「やめる」領域）をタッチディスプレイ３０２上に表示させる。制御部３１０は、領域３２０ａが選択されたことに応答して、上記アプリケーションを起動する。制御部３１０は、領域３２０ｂが選択されたことに応答して、上記アプリケーションを起動せず、領域３２０ａ及び３２０ｂをタッチディスプレイ３０２に表示するのをやめる。領域３２０ａ及び３２０ｂの表示及び選択は、様々な態様をとることができる。例えば、制御部３１０は、タッチディスプレイ３０２上に領域３２０ａ及び３２０ｂを表示させることに加えて、物体３１８が移動するにつれて物体３１８の接触操作によって選択されたアイコンが物体３１８と一緒に移動するように、当該アイコンをタッチディスプレイ３０２上で移動するように表示させてもよい。この場合、制御部３１０は、接触検知部３０６から得られる情報に基づいて、移動する物体３１８の位置を求め、タッチディスプレイ３０２上での移動する物体３１８に対応する位置にアイコンの画像を表示させる。ユーザが物体３１８をタッチディスプレイ３０２に接触したまま領域３２０ａまで物体３１８（及び、これに追随するアイコン）を移動させると、これに応答して、制御部３１０は、領域３２０ａが選択されたと判定する。ユーザが物体３１８をタッチディスプレイ３０２に接触したまま領域３２０ｂまで物体３１８（及び、これに追随するアイコン）を移動させると、これに応答して、制御部３１０は、領域３２０ｂが選択されたと判定する。
【００４１】
領域３２０ａ及び３２０ｂは、別の態様で表示及び選択されてもよい。図８（ｂ）は、領域３２０ａ及び３２０ｂが吹き出しの形式で表示される例を示す。制御部３１０は、領域３２０ａが選択されたことに応答して、アイコンに関連付けられるアプリケーションを起動する。制御部３１０は、領域３２０ｂが選択されたことに応答して、当該アプリケーションを起動せず、領域３２０ａ及び３２０ｂをタッチディスプレイ３０２に表示するのをやめる。領域３２０ａ及び３２０ｂの選択は、様々な態様をとることができる。例えば、制御部３１０は、ユーザが物体３１８を領域３２０ａへ向かってスワイプすることに応答して、領域３２０ａが選択されたと判定してもよい。制御部はまた、物体３１８が領域３２０ｂへ向かってスワイプされることに応答して、領域３２０ｂが選択されたと判定してもよい。
【００４２】
当業者であれば、領域３２０ａ及び３２０ｂの表示及び選択を上記の態様以外の様々な態様で実装することができることを理解すべきである。また、ステップ６１２における「所定の動作」は、単にアプリケーションを起動することを含んでもよい。
【００４３】
図６のステップ６１２においてアプリケーションの起動が選択された場合、制御部３１０は当該アプリケーションを起動する。
図９は、本発明の実施例によるプログラムに従って携帯端末３００が実行する方法９００のフローチャートである。プログラムは、携帯端末３００の制御部３１０によって実行されて、図９に示す各ステップを制御部３１０に実行させてもよい。
【００４４】
ステップ９０２乃至９１２は、図６のステップ６０２乃至６１２と同様であるので、ここでは説明を省略する。方法９００は、さらにステップ９１４を含むことにより、寝ながらモード中であっても通常のタップ操作によってアプリケーションを起動することを可能にする。ステップ９１０において、所定の接触操作が行われなかったと判定される場合（ステップ９１０の「いいえ」）、ステップ９１４において、制御部３１０は、アイコンに対してタップ操作が行われたかどうかを判定する。タップ操作が行われたと判定されると（ステップ９１４の「はい」）、処理はステップ９１２に続き、制御部３１０は、アイコンに関連付けられるアプリケーションを起動するための所定の動作を実行する。タップ操作が行われなかったと判定されると（ステップ９１４の「いいえ」）、処理はステップ９０８へ戻ってもよい。ステップ９１０における「所定の接触操作」として、図７に例示した操作を含む様々な操作を採用することができる。ステップ９１２における「所定の動作」として、図８に例示した動作を含む様々な動作を採用することができる。図９に示す実施例によれば、携帯端末３００が寝ながらモードに移行した後であっても、ユーザが携帯端末３００に対して通常モードと同様の操作をも行うことが可能となる。これにより、ユーザは、横たわった姿勢で、片手での操作だけではなく、両手を用いた操作など、様々な態様の操作を携帯端末３００に対して快適に行うことができる。
【００４５】
以上、本発明は、図６又は図９に示されるフローチャートに関して説明されたような、携帯端末により実施される方法、又は当該方法を携帯端末に実行させるプログラムとして実施することができる。さらに、本発明は、当該方法を実行するように構成された携帯端末又は制御部（プロセッサ）として実施することができることが理解されよう。
【００４６】
本発明の実施例について図面を参照しつつ説明してきたが、当業者であれば、本発明の趣旨から逸脱することなく、適宜形態の変更、追加、改良等を行うことができることを理解すべきである。本発明の範囲は、上述の実施例に限定されるべきではなく、特許請求の範囲の記載に基づいて解釈されるべきであり、さらにその均等物を含むものである。
【図３】
2016207057.tif 000003
【図５】
2016207057.tif 000004
【図６】
2016207057.tif 000005
【図９】
2016207057.tif 000006
【図１】
2016207057.tif 000007
【図２】
2016207057.tif 000008
【図４】
2016207057.tif 000009
【図７】
2016207057.tif 000010
【図８】
2016207057.tif 000011